(57)【要約】【課題】  電子機器が所定の場所以外では使用ができないようにして、電子機器の不正使用を防止する電子機器の使用管理システム及び使用管理方法を提供する。【解決手段】  情報記憶媒体と、入退出管理装置と、部屋内に置かれた情報記憶媒体書込装置と、情報記憶媒体読取装置が設けられた電子機器とからなり、情報記憶媒体は、認証用情報が記憶された記憶手段を有し、入退出管理装置は、情報記憶媒体から認証用情報を読み取る手段と、認証用情報の認証処理手段と、認証が受けられた場合に入室を可能な状態にする手段とを有し、情報記憶媒体書込装置は、情報記憶媒体に電子機器の使用許可情報を書き込む手段を有し、電子機器は、情報記憶媒体読取装置により情報記憶媒体から使用許可情報を読み取らせる手段と、読み取った使用許可情報に基づく認証処理を行う手段と、認証が受けられた場合に、該電子機器を使用可能な状態に制御する手段とを有する。【選択図】        図1
2008165691.tif 000002
【特許請求の範囲】
【請求項１】
情報記憶媒体と、入退出が前記情報記憶媒体で管理された部屋の出入り口に設けられた入退出管理装置と、前記部屋内に置かれた情報記憶媒体書込装置と、情報記憶媒体読取装置が設けられた電子機器とからなる電子機器の使用管理システムであって、
前記情報記憶媒体は、認証用情報が記憶された記憶手段を有し、
前記入退出管理装置は、前記情報記憶媒体から認証用情報を読み取る手段と、前記読み取った認証用情報に基づき認証処理を行う認証処理手段と、前記認証処理手段で認証が受けられた場合に、前記部屋のドアの施錠が解錠されて入室を可能な状態にする手段とを有し、
前記情報記憶媒体書込装置は、前記情報記憶媒体に前記電子機器の使用を許可する使用許可情報を書き込む手段を有し、
前記電子機器は、前記情報記憶媒体読取装置により前記情報記憶媒体から使用許可情報を読み取らせる手段と、読み取った使用許可情報に基づく認証処理を行う手段と、前記認証処理で認証が受けられた場合に、該電子機器を使用可能な状態に制御する手段とを有することを特徴とする電子機器の使用管理システム。
【請求項２】
前記情報記憶媒体書込装置は、前記入退出管理装置で管理された入退出口の入退出について、ドアの施錠が解錠されている場合には、前記情報記憶媒体に対して使用許可情報を行わないように制限する手段を有することを特徴とする請求項１記載の電子機器の使用管理システム。
【請求項３】
前記電子機器は、該電子機器が使用可能な状態となっている場合において、所定動作検知時又は所定時間毎に、使用できない状態となるように制御し、再度使用可能とするためには、前記使用許可情報に基づく認証処理を要求する手段を有することを特徴とする請求項１記載の電子機器の使用管理システム。
【請求項４】
前記入退出管理装置は、前記情報記憶媒体の記憶手段に記憶されている認証用情報を消去する消去手段を有することを特徴とする請求項１記載の電子機器の使用管理システム。
【請求項５】
前記消去手段は、前記部屋から退出する際の前記認証処理手段での認証時に、前記認証用情報を消去する機能を有することを特徴とする請求項４記載の電子機器の使用管理システム。
【請求項６】
情報記憶媒体と、入退出が前記情報記憶媒体で管理された部屋の出入り口に設けられた入退出管理装置と、前記部屋内に置かれた情報記憶媒体書込装置と、情報記憶媒体読取装置が設けられた電子機器とからなる電子機器の使用管理方法であって、
前記入退出管理装置により、前記情報記憶媒体に記憶された認証用情報を読み取り、前記認証用情報に基づく認証が受けられた場合に、前記部屋のドアの施錠が解錠されて入室可能な状態とするステップと、
前記情報記憶媒体書込装置で、前記情報記憶媒体に前記電子機器の使用を許可する使用許可情報を書き込むステップと、
前記電子機器の情報記憶媒体読取装置により、ドアの施錠が解錠されていることを条件に前記情報記憶媒体から使用許可情報を読み取り、該使用許可情報に基づく認証処理を行ない、認証が受けられた場合に、該電子機器を使用可能な状態に制御するステップと、
を有することを特徴とする電子機器の使用管理方法。
【発明の詳細な説明】
【技術分野】
【０００１】
本発明は、パソコンなどの電子機器について、入退出が管理された部屋から外部に持ち出され、不正使用されることを防止する電子機器の使用管理システム及び使用管理方法に関する。
【背景技術】
【０００２】
従来、パソコンなどの電子機器が、使用権限を有していない第三者によって不正にアクセスされた場合には、個人情報や秘密情報が漏洩されたり、データの改ざんや破壊、消去などが行われる危険性がある。
このような不正アクセスを防止するための技術も種々開発され、公知となっている。（例えば、特許文献１〜５、参照）
【０００３】
【特許文献１】特開平５−１７６３７４号公報
【特許文献２】特開平１０−３０１６５５号公報
【特許文献３】特開２００１−２７９１１号公報
【特許文献４】特開２００６−２９３５０８号公報
【特許文献５】特開２００６−３０９２８１号公報
【０００４】
しかしながら、ノート型パソコンは、バッグなどに入れて簡単に外部に持ち出すことが可能であることから、入退出が管理された部屋から社員などが外部に持ち出して不正行為を行うこともできるため、従来の技術では内部犯罪などを防止できないという問題がある。
【発明の開示】
【発明が解決しようとする課題】
【０００５】
そこで、本発明は、パソコンなどの電子機器が所定の場所から外部に持ち出された場合には、電子機器の使用ができないようにして、電子機器が不正に使用されることを防止することができるようにした電子機器使用管理システム及び使用管理方法を提供する。
【課題を解決するための手段】
【０００６】
上記の課題を達成するために、本発明の電子機器の使用管理システムは、情報記憶媒体と、入退出が前記情報記憶媒体で管理された部屋の出入り口に設けられた入退出管理装置と、前記部屋内に置かれた情報記憶媒体書込装置と、情報記憶媒体読取装置が設けられた電子機器とからなる電子機器の使用管理システムであって、前記情報記憶媒体は、認証用情報が記憶された記憶手段を有し、前記入退出管理装置は、前記情報記憶媒体から認証用情報を読み取る手段と、前記読み取った認証用情報に基づき認証処理を行う認証処理手段と、前記認証処理手段で認証が受けられた場合に、前記部屋のドアの施錠が解錠されて入室を可能な状態にする手段とを有し、前記情報記憶媒体書込装置は、前記情報記憶媒体に前記電子機器の使用を許可する使用許可情報を書き込む手段を有し、前記電子機器は、前記情報記憶媒体読取装置により前記情報記憶媒体から使用許可情報を読み取らせる手段と、読み取った使用許可情報に基づく認証処理を行う手段と、前記認証処理で認証が受けられた場合に、該電子機器を使用可能な状態に制御する手段とを有することを特徴とする。
【０００７】
また、本発明の電子機器の使用管理システムは、前記情報記憶媒体書込装置は、前記入退出管理装置で管理された入退出口の入退出について、ドアの施錠が解錠されている場合には、前記情報記憶媒体に対して使用許可情報を行わないように制限する手段を有することを特徴とする。
【０００８】
更に、本発明の電子機器の使用管理システムは、前記電子機器は、該電子機器が使用可能な状態となっている場合において、所定動作検知時又は所定時間毎に、使用できない状態となるように制御し、再度使用可能とするためには、前記使用許可情報に基づく認証処理を要求する手段を有することを特徴とする。
【０００９】
また、本発明の電子機器の使用管理システムは、前記入退出管理装置は、前記情報記憶媒体の記憶手段に記憶されている認証用情報を消去する消去手段を有することを特徴とする。
【００１０】
更に、本発明の電子機器の使用管理システムは、前記消去手段は、前記部屋から退出する際の前記認証処理手段での認証時に、前記認証用情報を消去する機能を有することを特徴とする。
【００１１】
また、本発明の電子機器の使用管理方法は、情報記憶媒体と、入退出が前記情報記憶媒体で管理された部屋の出入り口に設けられた入退出管理装置と、前記部屋内に置かれた情報記憶媒体書込装置と、情報記憶媒体読取装置が設けられた電子機器とからなる電子機器の使用管理方法であって、前記入退出管理装置により、前記情報記憶媒体に記憶された認証用情報を読み取り、前記認証用情報に基づく認証が受けられた場合に、前記部屋のドアの施錠が解錠されて入室可能な状態とするステップと、前記情報記憶媒体書込装置で、前記情報記憶媒体に前記電子機器の使用を許可する使用許可情報を書き込むステップと、  前記電子機器の情報記憶媒体読取装置により、ドアの施錠が解錠されていることを条件に前記情報記憶媒体から使用許可情報を読み取り、該使用許可情報に基づく認証処理を行ない、認証が受けられた場合に、該電子機器を使用可能な状態に制御するステップと、を有することを特徴とする。
【発明の効果】
【００１２】
したがって、本発明の電子機器使用管理システムは、入退出が情報記憶媒体で管理された部屋から、パソコンなどの電子機器が持ち出された場合には、情報記憶媒体書込装置により情報記憶媒体に電子機器の使用許可情報を書き込み、その情報記憶媒体を用いて電子機器を使用可能な状態にすることができないので、パソコンなどの電子機器が所定の場所以外に持ち出された場合には、使用ができないようにして、電子機器が不正に使用されることを防止することができるという効果がある。
【００１３】
また、本発明の電子機器使用管理システムは、情報記憶媒体書込装置が、入退出口の入退出についてドアの施錠が解錠されている場合には、情報記憶媒体に対して使用許可情報を行うことができないように制限するので、入退出口を通行できる状態にして、使用許可情報を情報記憶媒体に書き込み、パソコンなどの電子機器を外部に持ち出すことができないので、簡単にパソコンなどの電子機器が使用可能な状態で所定の場所以外に持ち出されることを防止することができるという効果がある。
【００１４】
更に、本発明の電子機器使用管理システムは、電子機器が使用可能な状態で持ち出されたとしても、所定動作検知時又は所定時間毎に、使用できない状態となるように制御されるので、電子機器が不正に使用されることを防止することができるという効果がある。
【００１５】
また、本発明の電子機器使用管理システムは、部屋から出る場合に、情報記憶媒体に記憶されている電子機器の使用許可情報を消去することができるので、外部においてその使用許可情報が漏洩できないようにして、偽造防止が図れるという効果がある。
【００１６】
更に、本発明の電子機器使用管理システムは、部屋から出る際の認証処理で、情報記憶媒体に記憶されている電子機器の使用許可情報を消去することができるので、使用許可情報が外部に漏洩できないようにしてあるので、偽造防止が図れるという効果がある。
【００１７】
また、本発明の電子機器使用管理方法は、入退出が情報記憶媒体で管理された部屋から、パソコンなどの電子機器が持ち出された場合には、情報記憶媒体書込装置により情報記憶媒体に電子機器の使用許可情報を書き込み、その情報記憶媒体を用いて電子機器を使用可能な状態にすることができないので、パソコンなどの電子機器が所定の場所以外に持ち出された場合には、使用ができないようにして、電子機器が不正に使用されることを防止することができるという効果がある。
【発明を実施するための最良の形態】
【００１８】
以下、本発明の実施形態に係る電子機器使用管理システムについて、図面に基づいて詳細に説明する。
図１は、本発明の実施形態に係る電子機器の使用管理システムの概要を説明する図、図２は、本発明の実施形態に係る電子機器の使用管理システムのシステム構成を説明するブロック図、図３は、本発明の実施形態に係る電子機器の使用管理システムの処理手順を示すフローチャート図である。
【００１９】
本発明の実施形態に係る電子機器の使用管理システムは、情報記憶媒体である非接触方式のＩＣカード１と、入退出がＩＣカード１で管理された部屋２の出入り口に設けられた入退出管理装置３と、前記部屋２内に置かれた情報記憶媒体書込装置であるＩＣカードライタ４と、情報記憶媒体読取装置であるＩＣカードリーダ５が設けられた電子機器であるパソコン６と、前記入退出管理装置３、前記ＩＣカードライタ４、前記パソコン６と通信線７で通信可能に接続されているサーバ８とを有している。
入退出管理装置３は、部屋２の出入り口に設けられたドア９の施錠状態を制御して、解錠した場合にだけ利用者１０が入室できるようになっている。
そして、入退出管理装置３によるドア９の施錠の解錠は、入退出管理装置３がＩＣカード１から読み取った認証用情報に基づく認証処理による認証が受けられた場合に解錠される。
【００２０】
ＩＣカードライタ４は、利用者１０が部屋２に入室した後、パソコン６を使用する前にＩＣカード１に対して、パソコン６の使用を許可する使用許可情報として入場情報を書き込むために用いられる。
パソコン６は、ＩＣカードリーダ５でＩＣカード１から入場情報を読み取らせて、入場情報に基づく認証処理で認証が受けられた場合にだけ、パソコン６の使用ができる状態に制御されるように構成されている。
また、利用者１０は、部屋２の出入り口から退室する際に、入退出管理装置３によりＩＣカード１に記憶されている入場情報の消去処理が施され、一旦外部に出た場合には、入場情報を再度書き込まないとパソコン６の使用ができないようになっている。
【００２１】
次に、本発明の実施形態に係る電子機器の使用管理システムのシステム構成を、図２に基づいて説明する。
まず、情報記憶媒体である非接触方式のＩＣカード１は、送受信手段１２、記憶手段１３、制御手段１４が備えられている。
そして、記憶手段１３には、入退出管理装置３で制御する施錠を解錠する際に、入退出管理装置３で読み取らせるための認証用情報が予め記憶されている。
【００２２】
次に、入退出管理装置３は、通信手段１５、認証処理手段１６、入口側送受信手段１７、出口側送受信手段１８、施錠制御手段１９、記憶手段２０、制御手段２１、消去手段３９などが備えられている。
入口側送受信手段１７は、部屋２のドア９から入る際の入口側に設けられ、入室する場合に、ＩＣカード１の記憶手段１３から認証用情報の読み取りを行なう機能を有している。
また、認証処理手段１６は、入口側送受信手段１７又は出口側送受信手段１８により、ＩＣカード１から読み取った認証用情報に基づく認証処理を行い、その認証が受けられた場合に、施錠制御手段１９によりドア９の施錠を解錠させる。
これにより、利用者１０は、ドア９を開けて入室可能となる。
【００２３】
また、ドア９の施錠状態が解錠された後には、ドア９を開けられる状態となるが、一旦開けられたドア９を閉めた場合には、再度、施錠がかかる。
そして、これらの施錠と解錠とのいずれかであるかの施錠状態を示す情報は、ＩＣカードライタ４に送信されて、ＩＣカードライタ４の記憶手段に書換え可能に記憶させる。
ＩＣカードライタ４によるＩＣカード１への入室情報の書込みは、ドア９が施錠状態にある場合には、書き込みを禁止する処理がされて、不正にＩＣカード１への入室情報の書込みを行った後に、パソコン６を持ち出すことができないようにしてある。
【００２４】
また、消去手段３９は、利用者１０がドア９を開けて退室する際に、出口側送受信手段１８によりＩＣカード１の記憶手段１３に記憶されている認証用情報を消去させる機能を有している。
この消去手段３９は、認証処理手段１６による認証処理を行う際に、ＩＣカード１の記憶手段１３に記憶されている認証用情報を消去させるように設定されている。
【００２５】
次に、ＩＣカードライタ４には、通信手段２２、入室情報書込手段２３、送受信手段２４、制御手段２５、記憶手段２６などが備えられている。
入室情報書込手段２３は、利用者１０が部屋２に入室した後、パソコン６を使用する前にＩＣカード１に対して、パソコン６の使用を許可する使用許可情報として入場情報を書き込む機能を有する。
【００２６】
次に、パソコン６には、通信手段２７、入力手段２８、記憶手段２９、使用制限処理手段３０、インターフェース（Ｉ/Ｆ）３１、入室情報認証処理手段３２、表示手段３３、制御手段３４が備えられている。
また、パソコン６に備えられたＩＣカードリーダ５には、送受信手段３５、記憶手段３６、制御手段３７、インターフェース（Ｉ/Ｆ）３８などが備えられている。
入室情報認証処理手段３２は、パソコン６の利用者１０がパソコン６を使用する際に、ＩＣカードライタ５によりＩＣカード１から読み取らせた入室情報に基づく認証処理を行い、その認証が受けられた場合に、使用制限処理手段３０によりパソコン６を使用できる状態に切り替える処理が行われる。
つまり、パソコン６を使用可能な状態にするには、パソコン６の利用者１０が所持するＩＣカード１の記憶手段１３に入室情報が記憶されていることが必要となる。
【００２７】
また、パソコン６の記憶手段には、制御プログラムが搭載されており、パソコン６が使用可能な状態となっている場合において、所定動作検知時又は所定時間毎に使用できない状態となるように制御する。
また、制御プログラムは、パソコン６を、再度使用可能とするためには、入場情報に基づく認証処理を要求するコメントを表示手段３３に表示させる。
【００２８】
次に、本発明の実施形態に係る電子機器の使用管理システムの処理手順を、図３に示すフローチャート図に基づいて説明する。
尚、図３に示すフローチャート図は、図１に示されているように、利用者１０が部屋２に入室して、パソコン６を使用し、退室するまでの行動の流れに対応した処理に関して示されている。
まず、利用者１０が部屋２に入る際に、入退出管理装置３でＩＣカード１に記憶されている認証用情報を読み取らせる。（ステップＳ１）
入退出管理装置３により、認証用情報に基づく認証処理が行われる。（ステップＳ２）
この認証処理で、認証が受けられた場合に、ドア９の施錠を解錠させる。（ステップＳ３）
これにより、利用者１０は、部屋２内に入ることができる。
【００２９】
また、ドア９の施錠が解錠された後に、ドア９が閉められた場合に、再度、自動的に施錠がかけられる。（ステップＳ４）
そして、ドア９が施錠されたことを示す情報が、入退出管理装置３からＩＣカードライタ４に送信され、ＩＣカードライタ４の記憶手段２４に登録される。（ステップＳ５）
次に、入室した利用者１０は、部屋２内に置かれた情報記憶媒体書込装置であるＩＣカードライタ４にＩＣカード１を近づけて、パソコン６を使用可能にするための使用許可情報である入室情報を書き込む。（ステップＳ６）
この使用許可情報である入室情報をＩＣカード１に書込む際には、ドア９が施錠されたことを示す情報が、ＩＣカードライタ４の記憶手段２４に登録されることが条件となっており、ＩＣカードライタ４は、その条件が満たされていない場合には、使用許可情報の書込みを行わない。
【００３０】
そして、ＩＣカード１の記憶手段に使用許可情報が書き込まれた後に、利用者１０がパソコン６を使用する場合に、パソコン６に備えられているＩＣカードリーダ５にＩＣカード１を近づけて、ＩＣカード１から使用許可情報である入室情報の読み取りを行う。（ステップＳ７）
パソコン６は、ＩＣカードリーダ５で読み取った入室情報に基づく認証処理を行う。（ステップＳ８）
この認証処理で、認証された場合には、パソコン６を使用できる状態に制御する。（ステップＳ９）
以上の処理により、利用者１０がパソコン６を使える状態にすることができる。
【００３１】
その後、利用者１０が退室する際に、入退出管理装置３でＩＣカード１に記憶されている認証用情報を読み取らせる。（ステップＳ１０）
入退出管理装置３は、ＩＣカード１の記憶手段に使用許可情報である入室情報が記憶されている場合には、使用許可情報である入室情報を記憶手段から消去させるための信号を送信して、使用許可情報である入室情報を消去させる。（ステップＳ１１）
更に、入退出管理装置３により、認証用情報に基づく認証処理が行われる。（ステップＳ１２）
この認証処理で、認証が受けられた場合に、ドア９の施錠を解錠させる。（ステップＳ１３）
これにより、利用者１０は、部屋２から出ることができる。
【００３２】
尚、本発明の電子機器の使用管理システムに適応する電子機器は、上記したパソコンに限定されるものではなく、複写機、プリンタ、電話器など種々の電子機器に適応することができるものである。
【図面の簡単な説明】
【００３３】
【図１】本発明の実施形態に係る電子機器の使用管理システム及び使用管理方法の概要を説明する図である。
【図２】本発明の実施形態に係る電子機器の使用管理システムのシステム構成を説明するブロック図である。
【図３】本発明の実施形態に係る電子機器の使用管理システム及び使用管理方法の処理手順を示すフローチャート図である。
【符号の説明】
【００３４】
１  ＩＣカード
２  部屋
３  入退出管理装置
４  ＩＣカードライタ
５  ＩＣカードリーダ
６  パソコン
７  通信線
８  サーバ
９  ドア
１０  利用者
１２，２４，３５  送受信手段
１３，２０，２６，２９，３６  記憶手段
１４，２１，２５，３４，３７  制御手段
１５，２２，２７  通信手段
１６  認証処理手段
１７  入口側送受信手段
１８  出口側送受信手段
１９  施錠制御手段
２３  入室情報書込手段
２８  入力手段
３０  使用制限処理手段
３１，３８  インターフェース（Ｉ/Ｆ）
３２  入室情報認証処理手段
【図１】
2008165691.tif 000003
【図２】
2008165691.tif 000004
【図３】
2008165691.tif 000005